(57)【要約】【課題】ハウジングに確実に係止されるワイヤカバーを備えたコネクタを提供する。【解決手段】このコネクタは、電線取出開口２１を有し、ハウジングに取り付けられるワイヤカバー２０を備えている。このワイヤカバー２０には、支持突起２３と、一対のアーム部２４と、一対の係止アーム２５と、一対の突起２６とを備えている。このワイヤカバー２０をハウジングに取り付けるにあたっては、支持突起２３をハウジングの一端に、このワイヤカバー２０を傾けて軸支させその一端を回転中心にして係止アーム２５側をハウジングに近づけるように回転させる。突起２６は、ハウジングの溝内に入り込みアーム部２４の撓みを抑える。このため、係止アーム２５がハウジングに確実に係止される。【選択図】図５
2015220077.tif 000002
【特許請求の範囲】
【請求項１】
略長方形状を有し、周縁に縁部が形成され内側に台部が形成されるように該縁部と該台部との間に形成された溝と、該縁部の、該略長方形状の長手方向一方の端部に設けられたハウジング側支持部と、該長手方向他方の端部において互いの間に幅方向に間を空けて設けられた一対のハウジング側係止部と、該台部に配列された複数の電線引出口とが形成された電線引出面を有するハウジングと、
前記電線引出面との間に空間を持って該電線引出面を覆い、前記複数の電線引出口から引き出された複数本の電線を前記電線引出面との間に挟み、該複数本の電線を前記他方の端部寄りから取り出す電線取出開口が形成されたワイヤカバーとを備え、
前記ワイヤカバーが、前記ハウジングの前記一方の端部に対応する該ワイヤカバーの一方の端部に設けられて前記ハウジング側支持部に軸支されるカバー側支持部と、前記電線取出開口を間に置いて前記他方の端部に向かって延在し互いに接離する向きに撓むアーム部と、該アーム部から前記溝内に入り込む向きに延び前記一対のハウジング側係止部にそれぞれ係止する係止アームと、該係止アームとの間に間隙を持って該アーム部から該溝内に入り込む向きに突き出て前記台部の縁に干渉可能な突起とを備えたことを特徴とするコネクタ。
【請求項２】
前記突起が、前記台部の縁と干渉する部分に、前記ワイヤカバーの前記ハウジングへの取付け時に該突起を該台部の側面に導く斜面を有することを特徴とする請求項１記載のコネクタ。
【請求項３】
前記ワイヤカバーが、前記ハウジングへの取付けにあたり、前記カバー側支持部を前記ハウジング側支持部に、該ワイヤカバーを前記電線引出面に対し傾けて軸支させ、軸支された前記一方の端部を回転中心にして回転させることにより前記カバー側係止部を前記ハウジング側係止部に係止させることで前記ハウジングに取り付けられるものであることを特徴とする請求項１又は２記載のコネクタ。
【請求項４】
略長方形状を有し、周縁に縁部が形成され内側に台部が形成されるように該縁部と該台部との間に形成された溝と、該縁部の、該略長方形状の長手方向一方の端部に設けられたハウジング側支持部と、該長手方向他方の端部であって互いの間に幅方向に間を空けて設けられた一対のハウジング側係止部と、該台部に配列された複数の電線引出口とが形成された電線引出面を有するハウジングの該電線引出面との間に空間を持って該電線引出面を覆い、前記複数の電線引出口から引き出された複数本の電線を該電線引出面との間に挟み、該複数本の電線を前記他方の端部寄りから取り出す電線取出開口が形成されたワイヤカバーであって、
前記ハウジングの前記一方の端部に対応する該ワイヤカバーの一方の端部に設けられて前記ハウジング側支持部に軸支されるカバー側支持部と、前記電線取出開口を間に置いて前記他方の端部に向かって延在して互いに接離する向きに撓むアーム部と、該アーム部から前記溝内に入り込む向きに延び前記一対のハウジング側係止部にそれぞれ係止する係止アームと、該係止アームとの間に間隙を持って該アーム部から該溝内に入り込む向き突き出て前記台部の縁に干渉可能な突起とを備えたことを特徴とするワイヤカバー。
【発明の詳細な説明】
【技術分野】
【０００１】
本発明は、コネクタおよびそれに用いるワイヤカバーに関する。
【背景技術】
【０００２】
非特許文献１には、複数本の電線が引き出されるコネクタハウジングと、そのコネクタハウジングとの間に空間を持ってその電線引出面を覆うワイヤカバーとを備えたコネクタが開示されている。
【０００３】
このコネクタにおいて、コネクタハウジングにワイヤカバーを取り付けるにあたっては、先ずワイヤカバーの一端側をコネクタハウジングに軸支させる。そして、ワイヤカバーの他端側をコネクタハウジングに近づけるようにワイヤカバーを回転させる。ワイヤカバーの他端側にはコネクタハウジングに係止される係止部が設けられている。この係止部をコネクタハウジングに係止させることによって、ワイヤカバーがコネクタハウジングに取り付けられる。ワイヤカバーには、電線を外部に取り出す電線取出開口が形成されている。
【先行技術文献】
【非特許文献】
【０００４】
【非特許文献１】Ｔｙｃｏ  Ｅｌｅｃｔｒｏｎｉｃｓ  取扱説明書（ＩＳ）４１１−７８００８−１
【発明の概要】
【発明が解決しようとする課題】
【０００５】
上記の構造のコネクタにおいて、様々な要求がある中の１つとして、このコネクタを使って従来よりも太い電線を接続したハーネスを作製することの要求がある。この要求に応えるためには、ワイヤカバーに設けられている電線取出開口を広げる必要がある。ただし、その場合、ワイヤカバーの上記他端側に設けられている係止部まで片持ち梁形状の長いアームを延ばす必要があるので、ワイヤカバーが撓み易くなり、係止が外れ易くなるという問題が生じる。
【０００６】
本発明は、上記目的に鑑み、ハウジングに確実に係止されるワイヤカバーを備えたコネクタを提供することを目的とする。
【課題を解決するための手段】
【０００７】
上記目的を達成する本発明のコネクタは、
略長方形状を有し、周縁に縁部が形成され内側に台部が形成されるように縁部と台部との間に形成された溝と、縁部の、略長方形状の長手方向一方の端部に設けられたハウジング側支持部と、長手方向他方の端部において互いの間に幅方向に間を空けて設けられた一対のハウジング側係止部と、台部に配列された複数の電線引出口とが形成された電線引出面を有するハウジングと、
上記の電線引出面との間に空間を持って電線引出面を覆い、複数の電線引出口から引き出された複数本の電線を電線引出面との間に挟み、それら複数本の電線を上記他方の端部寄りから取り出す電線取出開口が形成されたワイヤカバーとを備え、
ワイヤカバーが、ハウジングの上記一方の端部に対応するワイヤカバーの一方の端部に設けられてハウジング側支持部に軸支されるカバー側支持部と、電線取出開口を間に置いて上記他方の端部に向かって延在し互いに接離する向きに撓むアーム部と、アーム部から上記の溝内に入り込む向きに延び一対のハウジング側係止部にそれぞれ係止する係止アームと、係止アームとの間に間隙を持ってアーム部から上記溝内に入り込む向きに突き出て台部の縁に干渉可能な突起とを備えたことを特徴とする。
【０００８】
本発明のコネクタは、そのコネクタを構成するワイヤカバーに上記の突起が設けられているため、広い電線取出開口を設けることによって上記アーム部が延びて撓み易くなってもワイヤカバーがハウジングに確実に係止される。
【０００９】
ここで、上記本発明のコネクタにおいて、上記突起が、台部の縁と干渉する部分に、ワイヤカバーのハウジングへの取付け時に突起を台部の側面に導く斜面を有することが好ましい。
【００１０】
この斜面が設けられていると、ワイヤカバーのハウジングへの取付けが一層円滑に行われる。
【００１１】
また、上記本発明のコネクタにおいて、ワイヤカバーが、ハウジングへの取付けにあたり、カバー側支持部をハウジング側支持部に、ワイヤカバーを電線引出面に対し傾けて軸支させ、軸支された上記一方の端部を回転中心にして回転させることによりカバー側係止部をハウジング側係止部に係止させることで、ハウジングに取り付けられるものであることが好ましい。
【００１２】
このようにワイヤカバーの一端と他端をハウジングに順次に取り付ける取付方法を採用することにより、ワイヤカバーがハウジングに円滑に取り付け可能となる。
【００１３】
また、上記目的を達成する本発明のワイヤカバーは、略長方形状を有し、周縁に縁部が形成され内側に台部が形成されるように縁部と台部との間に形成された溝と、縁部の、略長方形状の長手方向一方の端部に設けられたハウジング側支持部と、長手方向他方の端部であって互いの間に幅方向に間を空けて設けられた一対のハウジング側係止部と、台部に配列された複数の電線引出口とが形成された電線引出面を有するハウジングの電線引出面との間に空間を持って電線引出面を覆い、複数の電線引出口から引き出された複数本の電線を電線引出面との間に挟み、それら複数本の電線を上記他方の端部寄りから取り出す電線取出開口が形成されたワイヤカバーであって、
ハウジングの上記一方の端部に対応するワイヤカバーの一方の端部に設けられてハウジング側支持部に軸支されるカバー側支持部と、電線取出開口を間に置いて上記他方の端部に向かって延在して互いに接離する向きに撓むアーム部と、アーム部先端から上記溝内に入り込む向きに延び一対のハウジング側係止部にそれぞれ係止する係止アームと、係止アームとの間に間隙を持ってアーム部から上記溝内に入り込む向き突き出て台部の縁に干渉可能な突起とを備えたことを特徴とする。
【発明の効果】
【００１４】
以上の本発明によれば、ワイヤカバーがハウジングに確実に取り付けられる。
【図面の簡単な説明】
【００１５】
【図１】本発明の一実施形態としてのコネクタ（Ａ）と、そのコネクタと組み合う相手コネクタ（Ｂ）とを示した斜視図である。
【図２】図１に示した本コネクタと相手コネクタとが組み合った状態を示した斜視図である。
【図３】ハウジングと、そのハウジングへの取付け途中の状態のワイヤカバーを示した斜視図である。
【図４】図３に示す円Ｒ１１，円Ｒ１２の部分の拡大図である。
【図５】ワイヤカバーの斜視図である。
【図６】ワイヤカバーを図３に示す姿勢から回転させて、係止アーム側の端部をハウジング１０に近づけた状態を示した斜視図である。
【図７】図６の、円Ｒ２１の部分（Ａ）および円Ｒ２２の部分（Ｂ）の拡大図である。
【図８】ワイヤカバーがハウジングに完全に取り付けられた状態の斜視図である。
【図９】図８の円Ｒ３１の部分（Ａ）および円Ｒ３２の部分（Ｂ）の拡大図である。
【図１０】図８に示す矢印Ａ−Ａおよび矢印Ｂ−Ｂで示す部分の断面図である。
【発明を実施するための形態】
【００１６】
以下、本発明の実施の形態を説明する。
【００１７】
図１は、本発明の一実施形態としてのコネクタ（Ａ）と、そのコネクタと組み合う相手コネクタ（Ｂ）とを示した斜視図である。ここでは、本実施形態のコネクタ（図１（Ａ））を相手コネクタ（図１（Ｂ））と区別するために「本コネクタ」と称することがある。
【００１８】
また、図２は、図１に示した本コネクタと相手コネクタとが組み合った状態を示した斜視図である。
【００１９】
コネクタ１は、ハウジング１０と、ワイヤカバー２０と、操作レバー３０と、２本のカム部材４０とを備えている。
【００２０】
ハウジング１０の電線引出面１１には、台部１１２が形成されており、その台部１１２には２次元的に配列された複数の電線引出口１１２ａが設けられている。これら複数の電線引出口１１２ａのそれぞれから１本ずつ、合計複数本の電線（不図示）が引き出される。
【００２１】
ワイヤカバー２０は、その電線引出面１１との間に空間を持ってその電線引出面１１を部分的に覆っている。このワイヤカバー２０には電線取出開口２１が形成されている。複数の電線引出口１１２ａからの複数本の電線は、この電線取出開口２１から、纏まるようにして外に取り出される。
【００２２】
相手コネクタ２には、その外面に上下に突き出たカムピン２ａが形成されている。これに対応して、本コネクタ１の２本のカム部材４０の、互いを向いた内側の面にカム溝（不図示）が形成されている。これら２本のカム部材４０は、ハウジング１０に対し、図１（Ａ）に示す突き出た位置と、図２に示すハウジング１０内に入り込んだ位置との間でスライド自在となっている。これら２本のカム部材４０にはラック４１（図３参照）が形成されている。さらに、これに対応して操作レバー３０の根元の、ハウジング１０に設けられた開口１２からハウジング１０内に入り込んだ部分には、そのラック４１と噛み合うピニオンギア３１（図３参照）が形成されている。さらに、この操作レバー３０は、ハウジング１０の開口１２からハウジング１０内に入り込んだ部分よりも少し上の部分で、ワイヤカバー２０に設けられた突起２２に回転自在に軸支されている。このため、この操作レバー３０を回転操作することにより、２本のカム部材４０が、図１（Ａ）に示すハウジング１０から突き出た位置と図２に示すハウジング１０内に入り込んだ位置との間でスライドする。
【００２３】
ここで、図１（Ａ）に示すように２本のカム部材４０がハウジング１０から突き出た状態で本コネクタ１を相手コネクタ２に押し当てる。すると、相手コネクタ２のカムピン２ａが、カム部材４０に設けられている不図示のカム溝に入り込む。その後、操作レバー３０を図２に示す姿勢まで回転操作する。すると、このカム機構により、本コネクタ１が相手コネクタ２に小さな力で正規の位置まで嵌め合わされる。
【００２４】
図１，図２には、相手コネクタ２と一体に備えられたもう１つの相手コネクタ３が示されている。この相手コネクタ３は、本コネクタ１と組み合う相手コネクタ２よりも長手方向の寸法が短いコネクタである。すなわち、このコネクタ３と組み合う、本コネクタ１側のコネクタとして、図１,図２に示す本コネクタよりも長手方向の寸法が短いもう１種類のコネクタが用意されている。ただし、そのコネクタは、図１，図２に示す本コネクタ１と比べ長手方向の寸法が短い点と、本コネクタ１とは異なる向きに組み合わされる点が異なるだけである。異なる向きとは、本コネクタ１のカム部材４０に相当するカム部材が、図１に示す本コネクタ１のカム部材４０とは逆向きにハウジングから突き出る向きである。この向きが異なることにより、カム部材４０に相当するカム部材に形成されているカム溝も、カム部材４０とは逆向きの動きにより嵌め合わされるように変更されている。ただし、この相手コネクタ３と組み合うコネクタの特徴部分は、ここに示した本コネクタ１の特徴部分と同一である。したがって、相手コネクタ３と組み合う本コネクタ１側のコネクタについての図示およびこれ以上の説明は省略する。
【００２５】
本コネクタ１では、複数本の電線に終端するコンタクト（図示せず）をハウジング１０の電線引出口１１２内に挿入した後にワイヤカバー２０が取り付けられる。そこで、以下では、ハウジング１０の構造およびワイヤカバー２０の構造について説明し、さらに、ハウジング１０へのワイヤカバー２０の取り付け方について説明する。
【００２６】
図３は、ハウジングと、そのハウジングへの取付け途中の状態のワイヤカバーを示した斜視図である。
【００２７】
また、図４は、図３に示す円Ｒ１１，円Ｒ１２の部分の拡大図である。
【００２８】
図３に示すようにハウジング１０は、上述の電線引出面１１を有する。この電線引出面１１は略長方形状である。この電線引出面１１には、その周縁に縁部１１１が形成され、内側に前述の台部１１２が形成されている。そして、これら縁部１１１と台部１１２とを形成するように、それらの縁部１１１と台部１１２との間に溝１１３が形成されている。
【００２９】
電線引出面１１の略長方形状の、ワイヤカバー２０の電線取出開口２１が形成された側に対応する端部には、互いの間に幅方向に間を空けて、一対の係止穴１１１ａが設けられている。
【００３０】
また、このハウジング１０の電線引出面１１の縁部１１１の、略長方形状の反対側の端部にも、この図３に示した係止穴１１１ａと同様な形状の一対の支持穴（不図示）が形成されている。この支持穴は、本発明にいうハウジング側支持部の一例である。係止穴１１１ａおよび支持穴に関しては、ワイヤカバー２０との関係でさらに後で言及する。
【００３１】
このハウジング１０には、一対のカム部材４０（図１参照）がスライド自在に支持されており、ハウジング１０の縁部１１１に設けられている開口１２から、そのカム部材４０に形成されたラック４１が露出している。このラック４１は、上述の通り、操作レバー３０に形成されたピニオンギア３１と噛み合い、操作レバー３０を回転操作することによりカム部材４０がスライドする。
【００３２】
図５は、ワイヤカバーの斜視図である。ここで、図５（Ａ）は、ワイヤカバーを、上方斜めから描いた斜視図である。また、図５（Ｂ）は、ワイヤカバーを上下逆向きにして下面側を描いた斜視図である。
【００３３】
このワイヤカバー２０は、ハウジング１０の電線引出面１１（図３参照）から離れる向きに大きく膨らんでいて、その電線引出面１１との間に複数本の電線を受け入れる空間２０ａが形成されている。
【００３４】
このワイヤカバー２０における、ハウジング１０の、図３に示す奥側の端部に対応する側の端部（図５（Ａ）における右端）には、一対の支持突起２３が設けられている。これらの支持突起２３は、本発明にいうカバー側支持部の一例に相当する。これらの支持突起２３は、ワイヤカバー２０をハウジング１０に取り付けるに際し、ハウジング１０の、図３に示す奥側に端部に設けられた一対の支持穴（不図示）に嵌められる。このワイヤカバー２０は、その支持突起２３がハウジング１０の支持穴に嵌められることによって、ハウジング１０に接離する向きに回転可能に軸支される。
【００３５】
また、このワイヤカバー２０には、一対のアーム部２４が設けられている。これらのアーム部２４は、電線取出開口２１を間に置いて、支持突起２３が設けられた端部とは逆側の端部に向かって延びている。これらのアーム部２４は、それぞれ薄板形状を有し、互いに接離する向きに容易に撓むことができる。
【００３６】
また、このワイヤカバー２０には、各アーム部２４の先端に各係止アーム２５が設けられている。これらの係止アーム２５は、アーム部２４から、ワイヤカバー２０がハウジング１０に取り付けられる際にハウジングの溝１１３（図３参照）の中に入り込む向きに延びている。そして、それらの係止アーム２５の先端部には、フック２５１が設けられている。このフック２５１は、前方に突き出た部分２５１ａと、側方に突き出た部分２５１ｂとを有する。このフック２５１の前方に突き出た部分２５１ａは、ハウジングの係止穴１１１ａ（図３参照）に入り込むことにより係止される。また、ハウジング１０にはその縁部１１１に係止溝１１１ｃ（図１０参照）が形成されていて、フック２５１の側方に突き出た部分２５１ｂは、その係止溝１１１ｃに係止される。係止アーム２５がこのようにしてハウジング１０に係止されると、支持突起２３がハウジングの支持穴に入り込んでいることと合わせて、ワイヤカバー２０がハウジング１０に固定される。これらアーム部２４および係止アーム２５は、本発明にいう、それぞれアーム部および係止アームの各一例に相当する。また、ハウジング１０に設けられている係止穴１１１ａおよび係止溝１１１ｃは、本発明にいうハウジング側係止部の一例に相当する。
【００３７】
さらに、このワイヤカバー２０には、突起２６が設けられている。この突起２６は、係止アーム２５との間に間隙を持ってハウジング１０の溝１１３内に入り込む向きにアーム部２４から突き出ている。そして、この突起２６は、一対のアーム部２４が互いに近づく方向に反っている場合、ワイヤカバー２０をハウジング１０に取り付ける際にハウジング１０の台部１１２の縁１１２ａ（図３、図４参照）に干渉する。この突起２６には、台部１１２の縁１１２ａと干渉する部分に、斜面２６１が形成されている。この斜面２６１は、ワイヤカバー２０のハウジング１０への取付け時に、その突起２６を台部１１２の側面１１２ｂに導く役割を担っている。
【００３８】
さらに、この突起２６には、外向きの面（電線引出面１１の縁部１１１側を向いた面）にも斜面２６２が形成されている。この斜面２６２は、一対のアーム部２４が規定の寸法のよりも仮に互いに広がっていたときに電線引出面１１の縁部１１１に干渉し、アーム部２４を内向きに撓ませる役割を担っている。
【００３９】
このワイヤカバー２０は、一対のアーム部２４を有し、このため、この一対のアーム部２４は、成形時に互いに近づく向きに撓んだ形状となりがちである。また、アーム部２４は、ハウジング１０への取付け後において、僅かな衝撃等によっても内向きに撓みがちとなる。このため、このワイヤカバー２０に仮に突起２６が形成されていないと、フック２５１がハウジング１０に安定的に係止された状態が保たれずに、係止が外れがちとなる。
【００４０】
本実施形態のコネクタ１の場合、ワイヤカバー２０に突起２６が設けられている。そして、ワイヤカバー２０をハウジング１０に取り付けると、その突起２６がハウジング１０の電線引出面１１の台部１１２の側面１１２ｂに当接する。これによって、アーム部２４が押し広げられる。このため、係止アーム２５のフック２５１がハウジング１０に係止された後は、係止アーム２５は、アーム部２４の突起２６との間の僅かな長さ部分と係止アーム２５自身のみでしか撓むことができない。これにより、係止アーム２５は、ハウジング１０に安定的に係止される。
【００４１】
また、このワイヤカバー２０には、その側面に、片面につき４つの突起２２，２７ａ，２７ｂ，２８が設けられている。これら４つの突起のうちの１つの突起２２は、前述の通り、操作レバー３０を軸支するための突起である。
【００４２】
また、突起２７ａは、操作レバー３０が図１（Ａ）の姿勢にあるときに操作レバー３０の過度の回転を防止するための突起である。
【００４３】
また、突起２８は、操作レバー３０が図１（Ａ）に示す姿勢にあるときに、操作レバー３０のワイヤカバー２０側の面に形成された窪み（不図示）に入り込む（操作レバー３０の仮係止状態）。そして、その突起２８は、操作レバー３０をその姿勢にロック（仮係止）する。ワイヤカバー２０の電線取出口２１には複数の電線が通っている。このため、操作レバー３０が図１（Ａ）に示す姿勢にあるときは、操作レバー３０に当接する電線から、操作レバー３０は突起２８から係合解除される向きの力を受ける。突起２８による操作レバー３０のロックは、電線からの力に抗して操作レバー３０の姿勢を安定化させるためのものである。
【００４４】
さらに、もう１つの突起２７ｂは、操作レバー３０が図２に示す姿勢にあるときの操作レバー３０の回転止めの突起である。このワイヤカバー２０の、突起２７ｂ側には、片持ち梁形状に形成されたロック部２９が設けられている。操作レバー３０を突起２７ｂに突き当てる向きに回転操作すると、操作レバー３０がロック部２９の先端部に当たってロック部２９を弾性変形させる。そして、操作レバー３０は、そのロック部２９を乗り越えて突起２７ｂに突き当たり、図２に示す姿勢となる。このロック部２９は逆向きには変形し難く、操作レバー３０は、突起２７ｂとロック部２９とに挟まれた状態にロック（本係止）される。ロック部２９を押し下げると、操作アーム３０がそのロック部２９を通過することができる状態となる。
【００４５】
ワイヤカバー２０をハウジング１０に取り付けるにあったては、ワイヤカバー２０の一端に形成された支持突起２３（図５参照）を、ハウジング１０の一端に設けられている支持穴（不図示）に、ワイヤカバー２０をハウジング１０の電線引出面１１に対し、図３に示すように斜めに傾けて軸支させる。ワイヤカバー２０は、図３では、図の斜め右上の部分が軸支され、図の斜め左下の部分が持ち上がった姿勢となっている。
【００４６】
次に、この軸支された一方の端部（図３の右上の端部）を回転中心にして、ワイヤカバー２０の、図３における左下の、係止アーム２５側を、ハウジング１０に近づける向きに回転させる。
【００４７】
図６は、ワイヤカバーを図３に示した姿勢から回転させて、係止アーム側の端部をハウジング１０に近づけた状態を示した斜視図である。
【００４８】
また、図７は、図６の、円Ｒ２１の部分（Ａ）および円Ｒ２２の部分（Ｂ）の拡大図である。
【００４９】
ハウジング１０の電線引出面１１の縁部１１１には、図７（Ｂ）に示すように、係止アーム２５の先端のフック２５１を撓ませる斜面１１１ｄ（図４（Ａ），（Ｂ）、図１０（Ｂ）を合わせて参照）が形成されている。また、係止アーム２５に隣接して設けられている干渉突起２６の斜面２６１は、電線引出面１１の台部１１２の縁１１２の真上にある。
【００５０】
図８は、ワイヤカバーがハウジングに完全に取り付けられた状態の斜視図である。
【００５１】
また図９は、図８の円Ｒ３１の部分（Ａ）および円Ｒ３２の部分（Ｂ）の拡大図である。
【００５２】
さらに、図１０は、図８に示す矢印Ａ−Ａおよび矢印Ｂ−Ｂで示す部分の断面図である。ただし、図１０では、操作レバー３０は図示省略されており、ハウジング１０はワイヤカバー２０寄りの部分のみ図示されている。
【００５３】
図１０（Ａ）は、図８に示す矢印Ａ−Ａで示す部分の断面図であって、ここには突起２６の断面があらわれている。
【００５４】
また、図１０（Ｂ）は、図８に示す矢印Ｂ−Ｂで示す部分の断面図であって、ここには係止アーム２５の断面があらわれている。
【００５５】
ワイヤカバー２０をハウジング１０に取り付けると、図１０（Ａ）に示すように、ワイヤカバー２０の突起２６が台部１１２の側面１１２ｂに隣接する。これにより、アーム部２４が互いに近づく向きに撓むのが防止されている。また、本実施形態の突起２６は、縁部１１１の側面１１１ｂにも当たるか極めて近接し、アーム部２４の外向きへの撓みも抑えられている。
【００５６】
このように、突起２６によりアーム部２４の撓みが制限されているため、図１０（Ｂ）に示すように、係止アーム２５のフック２５１の側方に突き出た部分２５１ｂは、縁部１１１に設けられている係止溝１１１ｃに確実に係止される。また、フック２５１の前方に突き出た部分２５１ａは、図８,図９に示すように縁部１１１に設けられている係止穴１１１ａに入り込み、係止の一助となっている。
【００５７】
係止アーム２５のフック２５１が係止穴１１１ａおよび係止溝１１１ｃに係止されるにあたっては、ワイヤカバー２０を取り付ける途中過程において、係止アーム２５が多少撓んでその後その撓みが解消されることで係止されることになる。これを可能にするために、係止穴１１１ａは、図８，図９に示すように、フック２５１の前方に突き出た部分２５１ａの幅よりも幅広に形成されている。このため、仮に突起２６が設けられていないと、アーム部２４が容易に内向きに撓み、係止が外れ易くなってしまう。本実施形態では、突起２６によりアーム部２４の撓みが規制されているため、確実な係止が行なわれる。
【００５８】
また、本実施形態では、係止アーム２５の方が突起２６よりも先にハウジング１０の溝１１３に入り込む構造となっている。これにより、ワイヤカバー２０の取付けの際は係止アーム２５が容易に撓み、取付け易くなっている。ただし、本実施形態とは逆に、係止アーム２５よりも突起２６の方が先に溝１１３に入り込む構造としてもよい。その場合、係止アーム２５が溝１１３に入り込むよりも前に突起２６の台部１１２側を向いた斜面２６１が台部１１２の縁に当ってアーム部２４が押し広げられることになる。すなわち、成形されたワイヤカバー２０が、係止アーム２５が台部１１２に突き当たって溝１１３に入らないほどアーム部２４が撓んだ形状であったとしても、製品として使用することができ、製造の歩留りを上げることができる。
【符号の説明】
【００５９】
１    コネクタ
２，３    相手コネクタ
１０    ハウジング
１１    電線引出面
２０    ワイヤカバー
２０ａ    空間
２１    電線取出開口
２３    支持突起
２４    アーム部
２５    係止アーム
２６    突起
３０    操作レバー
４０    カム部材
１１１    縁部
１１１ａ    係止穴
１１１ｃ    係止溝
１１２    台部
１１２ａ    縁
１１２ｂ    側面
１１３    溝
２５１    フック
２５１ａ    前方に突き出た部分
２５１ｂ    側方に突き出た部分
２６１，２６２    斜面
【図１】
2015220077.tif 000003
【図２】
2015220077.tif 000004
【図３】
2015220077.tif 000005
【図４】
2015220077.tif 000006
【図５】
2015220077.tif 000007
【図６】
2015220077.tif 000008
【図７】
2015220077.tif 000009
【図８】
2015220077.tif 000010
【図９】
2015220077.tif 000011
【図１０】
2015220077.tif 000012